(57)【要約】【課題】球供給路から供給される遊技球を所定数単位毎に迅速に球通出部に通出し得ると共に、装置全体の小型化を図る。【解決手段】球供給路に連通する球通入口２３および球通出部に連通する第１および第２球排出口２６，２７をベース部材２１に形成し、所定数のパチンコ球を収容可能な第１および第２樋部５５，５６を有する樋部材５１を、該ベース部材２１に揺動可能に配設する。そして、前記第１樋部５５の球出口と前記第１球排出口２６とが連通すると共に、前記第２樋部５６の球入口と前記球通入口２３とが連通する第１状態、または前記第２樋部５６の球出口と前記第２球排出部２７とが連通すると共に、前記第１樋部５５の球入口と該球通入口２３とが連通する第２状態に、前記樋部材５１を第１ソレノイド４２で揺動変位させるよう構成した。【選択図】　図１
2004065319.tif 000002
【特許請求の範囲】
【請求項１】
球供給路から供給される遊技球を所定数単位で球通出部に通出する球処理装置であって、
前記球供給路と球通出部との間に配設され、該球供給路と連通する球通入部を形成したベース部材と、
前記球通入部に対して移動可能な状態で前記ベース部材に配設され、前記球通入部に球入口が連通可能で所定数の遊技球を収容する第１樋部および第２樋部を形成した樋部材と、
前記球通出部と連通すると共に前記樋部材の移動方向に離間して前記ベース部材に形成され、前記第２樋部の球入口が前記球通入部に連通した際に前記第１樋部の球出口が連通する第１球排出部、および第１樋部の球入口が球通入部に連通した際に第２樋部の球出口が連通する第２球排出部と、
前記第１樋部の球出口と前記第１球排出部とが連通すると共に、前記第２樋部の球入口と前記球通入部とが連通する第１状態、または前記第２樋部の球出口と前記第２球排出部とが連通すると共に、前記第１樋部の球入口と前記球通入部とが連通する第２状態に前記樋部材を変位させる切替手段と、
前記第１球排出部および第２球排出部の間に配置され、前記球通入部に連通した前記第１樋部または第２樋部の球出口を閉塞する排出規制板とを備え、
前記第１状態では、前記第１樋部に収容された遊技球を前記第１球排出部から前記球通出部に通出すると共に、前記第２樋部の球出口が排出規制板によって閉塞されたもとで、前記球供給路から前記球通入部を介して所定数の遊技球を該第２樋部に流入させ、
前記第２状態では、前記第２樋部に収容された遊技球を前記第２球排出部から前記球通出部に通出すると共に、前記第１樋部の球出口が排出規制板によって閉塞されたもとで、前記球供給路から前記球通入部を介して所定数の遊技球を該第１樋部に流入させるよう構成した
ことを特徴とする球処理装置。
【請求項２】
前記樋部材は、前記球通入部に対して揺動可能な状態で前記ベース部材に配設され、前記切替手段により前記第１状態と第２状態とに揺動変位されるよう構成した請求項１記載の球処理装置。
【請求項３】
前記第１球排出部と第２球排出部との間の前記ベース部材に、前記球通入部と連通した前記第１樋部または第２樋部の球出口に連通可能な球抜き部を形成すると共に、前記排出規制板が、前記第１樋部または第２樋部の球出口を閉塞する球排出規制位置から、該第１樋部または第２樋部の球出口を開放する球排出許容位置に第２の切替手段により変位された際に、前記第１樋部または第２樋部の球出口と球抜き部とが連通するよう構成した請求項１または２記載の球処理装置。
【請求項４】
確認センサ部が、前記球通入部に整列するよう前記ベース部材に配設されて、前記樋部材を前記第１状態に変位した際には、前記第２樋部に流入した遊技球を確認し得ると共に、前記樋部材を前記第２状態に変位した際には、前記第１樋部に流入した遊技球を確認し得るよう構成した請求項１〜３の何れかに記載の球処理装置。
【請求項５】
球供給路から供給される遊技球を所定数単位で球通出部に通出する球処理装置であって、
前記球供給路と球通出部との間に配設され、該球通出部と連通する球排出部を形成したベース部材と、
前記球排出部に対して移動可能な状態で前記ベース部材に配設され、前記球排出部に球出口が連通可能で所定数の遊技球を収容する第１樋部および第２樋部を形成した樋部材と、
前記球供給路と連通すると共に前記樋部材の移動方向に離間して前記ベース部材に形成され、前記第２樋部の球出口が前記球排出部に連通した際に前記第１樋部の球入口が連通する第１球通入部、および第１樋部の球出口が球排出部に連通した際に第２樋部の球入口が連通する第２球通入部と、
前記第１樋部の球入口と前記第１球通入部とが連通すると共に、前記第２樋部の球出口と前記球排出部とが連通する第１状態、または前記第２樋部の球入口と前記第２球通入部とが連通すると共に、前記第１樋部の球出口と前記球排出部とが連通する第２状態に前記樋部材を変位させる切替手段と、
前記第２状態において前記第１球通入部を閉塞する第１通入規制板と、
前記第１状態において前記第２球通入部を閉塞する第２通入規制板と、
前記第１状態で前記第１樋部の球出口を閉塞する第１排出規制板、および前記第２状態で前記第２樋部の球出口を閉塞する第２排出規制板とを備え、
前記第１状態では、前記第２樋部に収容された遊技球を前記球排出部から前記球通出部に通出すると共に、前記第１樋部の球出口が第１排出規制板によって閉塞されたもとで、前記球供給路から前記第１球通入部を介して所定数の遊技球を該第１樋部に流入させ、
前記第２状態では、前記第１樋部に収容された遊技球を前記球排出部から前記球通出部に通出すると共に、前記第２樋部の球出口が第２排出規制板によって閉塞されたもとで、前記球供給路から該第２球通入部を介して所定数の遊技球を該第２樋部に流入させるよう構成した
ことを特徴とする球処理装置。
【請求項６】
前記樋部材は、前記球排出部に対して揺動可能な状態で前記ベース部材に配設され、前記切替手段により前記第１状態と第２状態とに揺動変位されるよう構成した請求項５記載の球処理装置。
【請求項７】
前記ベース部材に、前記第１状態において前記第１球通入部と連通した前記第１樋部の球出口と連通可能な第１球抜き部と、前記第２状態において前記第２球通入部と連通した前記第２樋部の球出口と連通可能な第２球抜き部とを形成すると共に、前記第１および第２排出規制板が、前記第１および第２樋部の球出口を閉塞する球排出規制位置から、該第１および第２樋部の球出口を開放する球排出許容位置に第２の切替手段により変位された際に、前記第１樋部の球出口と第１球抜き部、および第２樋部の球出口と第２球抜き部とが夫々連通するよう構成した請求項５または６記載の球処理装置。
【発明の詳細な説明】
【０００１】
【発明の属する技術分野】
この発明は、球処理装置に関し、更に詳細には、球供給路から供給される遊技球を、所定数単位毎に球通出部に通出させる球処理装置に関するものである。
【０００２】
【従来の技術】
代表的な遊技機であるパチンコ機は、遊技ホール内の設置枠台（通称「島」）に縦向きの姿勢で設置されて遊技に供され、そして機内の遊技盤内で展開されるパチンコゲーム中に成立した入賞条件（例えばセーフ球の発生や図柄組合わせによる得点）に対し、機裏側の機構セット盤に形成配置した球タンクに貯留されたパチンコ球（遊技球）を、賞球払出装置（球処理装置）の動作のもとに、所定数の賞球として機前側の上球皿または下球皿側へ給出するようになっている。
【０００３】
例えば、前記賞球払出装置としては、装置本体の内部に、上下方向に貫通して所定数（例えば５個）のパチンコ球を収納し得る１つの球収納部を形成し、該球収納部の上端部が前記球タンクに連結した球供給路の下端部に整列する球収納位置と、球収納部の下端部が前記上球皿や下球皿に連結される球通出路の上端部に整列する球払出位置とに装置本体を変位するよう構成したものがある。なお、前記賞球払出装置が球払出位置にある場合には、前記球収納部の上端部と、前記球供給路の下端部とが整列しないようになっている。すなわち、前記装置本体が球収納位置にあるときに前記球供給路から前記球収納部内にパチンコ球が流入して該球収納部に所定数のパチンコ球が収納される。そして、前記入賞条件が成立した際に、前記装置本体を球払出位置に変位させることで、前記球収納部に収納したパチンコ球が前記球通出路に排出されて、前記上球皿や下球皿に賞球として払出される。
【０００４】
【発明が解決しようとする課題】
ところで、前記賞球払出装置ではパチンコ球を収納する球収納部を１つだけ形成してあるので、該球収納部に収納したパチンコ球を排出した後に次のパチンコ球を払出すには、前記装置本体を球払出位置から一旦球収納位置に変位させ、該球収納部に所定数のパチンコ球を収納した後に再度球払出位置に戻す必要がある。すなわち、前記装置本体を球収納位置と球払出位置との間を往復動することで、１度の払出し動作が完了する。このため、前記球収納部に収納したパチンコ球以上の払出し（例えば１５個）が必要な際には、前記装置本体を複数回往復動することになるので、迅速な賞球の払出しを行なえない問題がある。また、前記装置本体を頻繁に往復動させることになるため、前記賞球払出装置の耐久性が低下する欠点も内在している。
【０００５】
そこで、賞球の払出しを迅速に行ない得る賞球払出装置として、リボルバー式のものも提案されている。このリボルバー式の賞球払出装置は、上下方向に延在する回転軸を有する回転体の外周縁部に、該回転体を上下に貫通する多数の貫通孔を形成してある。そして、前記回転体を回転させた際に、所定の球収納位置に到来した貫通孔にパチンコ球を収納すると共に、該球収納位置から離間した球払出位置に到来した貫通孔からパチンコ球を排出するよう構成されている。すなわち、この賞球払出装置では、前記回転体の回転に伴い、前記球収納位置に到来する貫通孔に順次パチンコ球を収納し得ると共に、前記球払出位置に到来する貫通孔から順次パチンコ球を排出し得るので、迅速な賞球の払出しが可能である。しかしながら、前記リボルバー式の賞球払出装置では、パチンコ球の収納および排出を行なう貫通孔を、前記回転体の外周縁部に多数形成してあるので、該回転体が大きくなって、該賞球払出装置全体が大型化する欠点が指摘される。
【０００６】
【発明の目的】
本発明は、前述した従来の技術に内在している前記課題に鑑み、これを好適に解決するべく提案されたものであって、球供給路から供給される遊技球を所定数単位毎に迅速に球通出部に通出させ得ると共に、装置全体の小型化を図り得る球処理装置を提供することを目的とする。
【０００７】
【課題を解決するための手段】
前記課題を克服し、所期の目的を好適に達成するため、本願の発明に係る球処理装置は、
球供給路（１６５）から供給される遊技球（Ｒ）を所定数単位で球通出部（１６６，１６６）に通出する球処理装置であって、
前記球供給路（１６５）と球通出部（１６６，１６６）との間に配設され、該球供給路（１６５）と連通する球通入部（２３）を形成したベース部材（２１）と、
前記球通入部（２３）に対して移動可能な状態で前記ベース部材（２１）に配設され、前記球通入部（２３）に球入口（５５ａ，５６ａ）が連通可能で所定数の遊技球（Ｒ）を収容する第１樋部（５５）および第２樋部（５６）を形成した樋部材（５１）と、
前記球通出部（１６６，１６６）と連通すると共に前記樋部材（５１）の移動方向に離間して前記ベース部材（２１）に形成され、前記第２樋部（５６）の球入口（５６ａ）が前記球通入部（２３）に連通した際に前記第１樋部（５５）の球出口（５５ｂ）が連通する第１球排出部（２６）、および第１樋部（５５）の球入口（５５ａ）が球通入部（２３）に連通した際に第２樋部（５６）の球出口（５６ｂ）が連通する第２球排出部（２７）と、
前記第１樋部（５５）の球出口（５５ｂ）と前記第１球排出部（２６）とが連通すると共に、前記第２樋部（５６）の球入口（５６ａ）と前記球通入部（２３）とが連通する第１状態、または前記第２樋部（５６）の球出口（５６ｂ）と前記第２球排出部（２７）とが連通すると共に、前記第１樋部（５５）の球入口（５５ａ）と前記球通入部（２３）とが連通する第２状態に前記樋部材（５１）を変位させる切替手段（４２）と、
前記第１球排出部（２６）および第２球排出部（２７）の間に配置され、前記球通入部（２３）に連通した前記第１樋部（５５）または第２樋部（５６）の球出口（５５ｂ，５６ｂ）を閉塞する排出規制板（４６ａ）とを備え、
前記第１状態では、前記第１樋部（５５）に収容された遊技球（Ｒ）を前記第１球排出部（２６）から前記球通出部（１６６）に通出すると共に、前記第２樋部（５６）の球出口（５６ｂ）が排出規制板（４６ａ）によって閉塞されたもとで、前記球供給路（１６５）から前記球通入部（２３）を介して所定数の遊技球（Ｒ）を該第２樋部（５６）に流入させ、
前記第２状態では、前記第２樋部（５６）に収容された遊技球（Ｒ）を前記第２球排出部（２７）から前記球通出部（１６６）に通出すると共に、前記第１樋部（５５）の球出口（５５ｂ）が排出規制板（４６ａ）によって閉塞されたもとで、前記球供給路（１６５）から前記球通入部（２３）を介して所定数の遊技球（Ｒ）を該第１樋部（５５）に流入させるよう構成したことを特徴とする。
【０００８】
また、前記樋部材（５１）は、前記球通入部（２３）に対して揺動可能な状態で前記ベース部材（２１）に配設され、前記切替手段（４２）により前記第１状態と第２状態とに揺動変位されるよう構成してもよい。
【０００９】
更に、前記第１球排出部（２６）と第２球排出部（２７）との間の前記ベース部材（２１）に、前記球通入部（２３）と連通した前記第１樋部（５５）または第２樋部（５６）の球出口（５５ｂ，５６ｂ）に連通可能な球抜き部（２８）を形成すると共に、前記排出規制板（４６）が、前記第１樋部（５５）または第２樋部（５６）の球出口（５５ｂ，５６ｂ）を閉塞する球排出規制位置から、該第１樋部（５５）または第２樋部（５６）の球出口（５５ｂ，５６ｂ）を開放する球排出許容位置に第２の切替手段（４３）により変位された際に、前記第１樋部（５５）または第２樋部（５６）の球出口（５５ｂ，５６ｂ）と球抜き部（２８）とが連通するよう構成することもできる。
【００１０】
更にまた、確認センサ部（７１）が、前記球通入部（２３）に整列するよう前記ベース部材（２１）に配設されて、前記樋部材（５１）を前記第１状態に変位した際には、前記第２樋部（５６）に流入した遊技球（Ｒ）を確認し得ると共に、前記樋部材（５１）を前記第２状態に変位した際には、前記第１樋部（５５）に流入した遊技球（Ｒ）を確認し得るようにしてもよい。
【００１１】
前記課題を克服し、所期の目的を好適に達成するため、本願の別の発明に係る球処理装置は、
球供給路（１６５，１６５）から供給される遊技球（Ｒ）を所定数単位で球通出部（１６６）に通出する球処理装置であって、
前記球供給路（１６５，１６５）と球通出部（１６６）との間に配設され、該球通出部（１６６）と連通する球排出部（９６）を形成したベース部材（９１）と、
前記球排出部（９６）に対して移動可能な状態で前記ベース部材（２１）に配設され、前記球排出部（９６）に球出口（５５ｂ，５６ｂ）が連通可能で所定数の遊技球（Ｒ）を収容する第１樋部（５５）および第２樋部（５６）を形成した樋部材（１２０）と、
前記球供給路（１６５，１６５）と連通すると共に前記樋部材（１２０）の移動方向に離間して前記ベース部材（９１）に形成され、前記第２樋部（５６）の球出口（５６ｂ）が前記球排出部（９６）に連通した際に前記第１樋部（５５）の球入口（５５ａ）が連通する第１球通入部（９３）、および第１樋部（５５）の球出口（５５ｂ）が球排出部（９６）に連通した際に第２樋部（５６）の球入口（５６ａ）が連通する第２球通入部（９４）と、
前記第１樋部（５５）の球入口（５５ａ）と前記第１球通入部（９３）とが連通すると共に、前記第２樋部（５６）の球出口（５６ｂ）と前記球排出部（９６）とが連通する第１状態、または前記第２樋部（５６）の球入口（５６ａ）と前記第２球通入部（９４）とが連通すると共に、前記第１樋部（５５）の球出口（５５ｂ）と前記球排出部（９６）とが連通する第２状態に前記樋部材（１２０）を変位させる切替手段（４２）と、
前記第２状態において前記第１球通入部（９３）を閉塞する第１通入規制板（１２１）と、
前記第１状態において前記第２球通入部（９４）を閉塞する第２通入規制板（１２２）と、
前記第１状態で前記第１樋部（５５）の球出口（５５ｂ）を閉塞する第１排出規制板（１１６ａ）、および前記第２状態で前記第２樋部（５６）の球出口（５６ｂ）を閉塞する第２排出規制板（１１６ｂ）とを備え、
前記第１状態では、前記第２樋部（５６）に収容された遊技球（Ｒ）を前記球排出部（９６）から前記球通出部（１６６）に通出すると共に、前記第１樋部（５５）の球出口（５５ｂ）が第１排出規制板（１１６ａ）によって閉塞されたもとで、前記球供給路（１６５）から前記第１球通入部（９３）を介して所定数の遊技球（Ｒ）を該第１樋部（５５）に流入させ、
前記第２状態では、前記第１樋部（５５）に収容された遊技球（Ｒ）を前記球排出部（９６）から前記球通出部（１６６）に通出すると共に、前記第２樋部（５６）の球出口（５６ｂ）が第２排出規制板（１１６ｂ）によって閉塞されたもとで、前記球供給路（１６５）から該第２球通入部（９４）を介して所定数の遊技球（Ｒ）を該第２樋部（５６）に流入させるよう構成したことを特徴とする。
【００１２】
また、前記樋部材（１２０）は、前記球排出部（９６）に対して揺動可能な状態で前記ベース部材（９１）に配設され、前記切替手段（４２）により前記第１状態と第２状態とに揺動変位されるよう構成してもよい。
【００１３】
更に、前記ベース部材（９１）に、前記第１状態において前記第１球通入部（９３）と連通した前記第１樋部（５５）の球出口（５５ｂ）と連通可能な第１球抜き部（９７）と、前記第２状態において前記第２球通入部（９４）と連通した前記第２樋部（５６）の球出口（５６ｂ）と連通可能な第２球抜き部（９８）とを形成すると共に、前記第１および第２排出規制板（１１６ａ，１１６ｂ）が、前記第１および第２樋部（５５，５６）の球出口（５５ｂ，５６ｂ）を閉塞する球排出規制位置から、該第１および第２樋部（５５，５６）の球出口（５５ｂ，５６ｂ）を開放する球排出許容位置に第２の切替手段（４３）により変位された際に、前記第１樋部（５５）の球出口（５５ｂ）と第１球抜き部（９７）、および第２樋部（５６）の球出口（５６ｂ）と第２球抜き部（９８）とが夫々連通するよう構成することもできる。
【００１４】
【作用】
本発明に係る球処理装置は、ベース部材に移動可能に配設した樋部材を切替手段で第１状態に変位させると、第１樋部の球出口が第１球排出部に連通して該第１樋部に収容した遊技球を球通出部に通出すると共に、第２樋部の球入口が球通入部に連通して球供給路から所定数の遊技球が流入する。また、樋部材を切替手段で第２状態に変位させると、第２樋部の球出口が第２球排出部に連通して該第２樋部に収容した遊技球を球通出部に通出すると共に、第１樋部の球入口が球通入部に連通して球供給路から所定数の遊技球が流入する。このように、前記樋部材を第１状態および第２状態の何れの状態においても、球通出部への遊技球の通出を行ない得ると共に、球供給路から樋部材に遊技球が流入する。すなわち、前記樋部材を第１状態と第２状態とに切り替えることで、樋部材に収容した遊技球を球通出部に所定数単位で迅速に通出させ得る。また、樋部材は、第１状態および第２状態に移動させ得る大きさであればよいので、装置全体の小型化を図ることができる。
【００１５】
また、前記球通入部と連通する第１樋部または第２樋部の球出口を閉塞する排出規制板を、第２の切替手段により該球出口を開放する球排出許容位置に変位させると、当該球出口と球抜き部が連通して、球通入部を介して流入する遊技球が球抜き部を通出する。すなわち、前記樋部材が第１状態および第２状態の何れの状態にある場合でも、前記第２の切替手段で排出規制板を球排出許容位置に変位させることで、遊技球を球通出部に通出することなく排出（所謂球抜き）することが可能である。更に、第１および第２球排出部と球抜き部とを別に設けることで、前記樋部材を第１または第２状態に変位させたときに、前記排出規制板を球排出許容位置に変位して球抜き部から球抜きを行ない得ると共に、該第１または第２球排出部から球通出部に所定数の遊技球を通出することができる。そして、前記球通入部に連通している第１樋部または第２樋部に流入した遊技球を確認するようにすれば、同じセンサで両樋部に収容した遊技球の確認を行なうことが可能である。
【００１６】
本願の別の発明に係る球処理装置は、ベース部材に移動可能に配設した樋部材を切替手段で第１状態に変位させると、第２樋部の球出口が球排出部に連通して該第２樋部に収容した遊技球を球通出部に通出すると共に、第１樋部の第１球入口が第１球通入部に連通して球供給路から所定数の遊技球が流入する。また、樋部材を切替手段で第２状態に変位させると、第１樋部の球出口が球排出部に連通して該第１樋部に収容した遊技球を球通出部に通出すると共に、第２樋部の球入口が第２球通入部に連通して球供給路から所定数の遊技球が流入する。このように、前記樋部材を第１状態および第２状態の何れの状態においても、球通出部への遊技球の通出を行ない得ると共に、球供給路から樋部材に遊技球が流入する。すなわち、前記樋部材を第１状態と第２状態とに切り替えることで、樋部材に収容した遊技球を球通出部に所定数単位で迅速に通出させ得る。また、樋部材は、第１状態および第２状態に移動させ得る大きさであればよいので、装置全体の小型化を図ることができる。
【００１７】
また、前記第１球通入部と連通する第１樋部の第１球出口および前記第２球通入部と連通する第２樋部の第２球出口を閉塞する排出規制板を、第２の切替手段により該球出口を開放する球排出許容位置に変位させると、当該球出口と対応する第１および第２球抜き部が連通して、第１または第２球通入部を介して流入する遊技球がこの球抜き部を通出する。すなわち、前記樋部材が第１状態および第２状態の何れの状態にある場合でも、前記第２の切替手段で排出規制板を球排出許容位置に変位させることで、遊技球を球通出部に通出することなく排出（所謂球抜き）することが可能である。更に、球排出部と第１および第２球抜き部とを別に設けることで、前記樋部材を第１または第２状態に変位させたときに、前記第１または第２排出規制板を球排出許容位置に変位して対応する第１または第２球抜き部から球抜きを行ない得ると共に、該球排出部から球通出部に所定数の遊技球を通出することができる。
【００１８】
【発明の実施の形態】
次に、本発明に係る球処理装置につき、好適な実施例を挙げて図１〜図１６を参照しながら、以下詳細に説明する。本実施例では、球処理装置をパチンコ式スロットマシン機における球取込装置として用いる場合について例示する。
【００１９】
【実施例】
（パチンコ式スロットマシン機について）
そこで、先ずパチンコ式スロットマシン機の概略構成につき説明する。図２に示すように、パチンコ式スロットマシン機１５０は、パチンコ遊技機の遊技媒体として用いられるパチンコ球（遊技球）Ｒを、コインの代わりに用いたスロットマシン機であって、スロットマシン機の本体をなす筐体の正面側における略中央部に図柄表示装置１５２が配設されると共に、その下方にパチンコ遊技機と同様の上球皿１５４および下球皿１５６が夫々配設されている。図柄表示装置１５２は、図柄組合わせ条件を成立表示することのできる遊技装置であり、ドラム式、ベルト式、液晶式等の各種形態の装置が好適に採用される。例えば、ベルト式の図柄表示装置１５２を搭載した場合で述べれば、１つの本体ケース内に複数基（一般的には左列、中列、右列の３基）の図柄表示ユニット１５８を並列に収容セットして構成されている。
【００２０】
各図柄表示ユニット１５８は、駆動基板を兼用するセット板に設けた回転駆動手段と、該回転駆動手段を構成する各プーリに展張巻装され、その外面に色彩区分された数字、アルファベット文字、その他の図形やマーク等の各種多様な図柄を配設した無端状の図柄ベルトと、位置決め検出手段および照明手段（何れも図示せず）等を含めて単一にユニット化されたものである。また図柄表示装置１５２では、各図柄ベルト毎に３コマ分の図柄が筐体の正面側に臨むように設定されており、これにより該正面側に合計９個（３列×３段）の図柄が停止表示されることになる。
【００２１】
この図柄表示装置１５２が配設されたパチンコ式スロットマシン機１５０は、遊技ホール内の設置枠台（通称「島」）に縦向きの姿勢で設置されて遊技に供され、その機内で展開される前記図柄表示ユニット１５８による図柄組合わせ遊技が成立した場合（すなわち図柄組合わせによる得点があった場合）に、筐体内部に配設された球容器や整流路および球送出路等からなる球貯留排出経路部（何れも図示せず）内に貯留されているパチンコ球Ｒを、該球送出路における球出口の下方に配設した図示しない賞球払出装置の作動制御のもとで、所定数の賞球として前記上球皿１５４側または下球皿１５６側へ適宜給出するよう構成されている。
【００２２】
前述したパチンコ式スロットマシン機１５０のゲームを開始するに際しては、遊技者が筐体正面に設けた球取込ボタン１６０を操作することで、前記上球皿１５４に貯留されたパチンコ球Ｒから第１球取込装置１０（図４参照）を介して所定数（例えば５個）が機内に取り込まれ、遊技者がスタートレバー１６１を操作することにより、前記図柄表示装置１５２に配設された各図柄表示ユニット１５８が夫々同一方向に回転する。そして、筐体の正面側に、左列、中列、右列の３基の各図柄表示ユニット１５８に対応して配設されたストップボタン１６２，１６２，１６２を遊技者が順次押すことで、対応の図柄表示ユニット１５８，１５８，１５８が夫々停止されて図柄の組合わせを行なうようになっている。また、遊技者がゲームを終了する際に上球皿１５４に残留しているパチンコ球Ｒは、筐体正面に設けた球抜き用ボタン１６３を操作することにより下球皿１５６側に抜き取り得るよう構成されている。
【００２３】
（第１球取込装置について）
実施例に係る前記第１球取込装置１０は、図４に示すように、前記上球皿１５４の球出口１５４ａから該上球皿１５４の裏側に連通して、当該上球皿１５４に貯留されたパチンコ球Ｒが通出する球供給路１６５と、パチンコ球Ｒを機内に取り込む球通出路（球通出部）１６６，１６６およびパチンコ球Ｒを前記下球皿１５６に球抜きする球抜出路（球抜出部）１６７との間に配設されて、該球供給路１６５から第１球取込装置１０に供給されるパチンコ球Ｒを所定数単位（実施例では５個）で球通出路１６６，１６６に通出するよう構成される。なお、前記球通出路１６６，１６６は、前記球抜出路１６７を挟む左右両側に位置している。またこの第１球取込装置１０に関する説明において、前後、左右および上下とは、図４に示すように、前記上球皿１５４を裏側から見た状態で指称するものとする。
【００２４】
（第１収容ケースについて）
図１，図３または図５に示すように、前記第１球取込装置１０は、前側に開口する略矩形状の後ケース体１２と、後側に開口する略矩形状の前ケース体１８とから箱体状に形成された第１収容ケース１１内に、第１球処理機構部２０（後述）を収容して構成されており、該第１球取込装置１０を該第１収容ケース１１単位のユニットとして取扱い得るようになっている。なお、前記第１収容ケース１１には、前記後ケース体１２の左上角部および右下角部に通孔１７，１７が形成されており、該通孔１７，１７を介して上球皿１５４の裏側にネジ止め固定してある（図４参照）。
【００２５】
また、図１または図５に示すように、前記後ケース体１２における上面壁１２ａ、下面壁１２ｂおよび左右の側面壁１２ｄ，１２ｅの開放端（前端）には、嵌合凸部１４が略全周に亘って形成されており、前記前ケース体１８における上面壁１８ａ、下面壁（図示せず）および左右の側面壁（右側面壁１８ｃのみ図示）の開放端（後端）には、該嵌合凸部１４と嵌合可能な第１の嵌合凹部（図示せず）が形成されている。また、前記後ケース体１２における後面壁１２ｃの左上部および右下部には、固定用支柱１５，１５が夫々突設され、各固定用支柱１５，１５の先端部にネジ孔１５ｂ，１５ｂを形成した小径ボス１５ａ，１５ａを突設してある。これに対して、前記前ケース体１８の前面壁１８ｂには、前記小径ボス１５ａ，１５ａと対応する位置に通孔１８ｄ，１８ｄ（図４参照）を穿設してある。なお、前記各小径ボス１５ａは、前記第１球処理機構部２０を構成する後述の第１ベース部材２１の通孔２２ａ，２２ａに挿通するようになっている。
【００２６】
すなわち、前記第１ベース部材２１の各通孔２２ａに、前記小径ボス１５ａを挿通したもとで、後カバー体１２の嵌合凸部１４に前カバー体１８の第１の嵌合凹部を嵌合して両部材１２，１８を位置決めすると共に、外側（前側）から該前ケース体１８の各通孔１８ｄに図示しないネジを挿通し、該ネジを後ケース体１２における小径ボス１５ａのネジ孔１５ｂに螺着することで、ケース内に第１球処理機構部２０が位置決めされる。なお、前記後ケース体１２の右下部に突設した固定用支柱１５に近接する上部位置には、後述する第１閉塞部材４６の支軸４７ａを位置決め固定する位置決め片１６を突設してある。
【００２７】
また、図１に示すように、前記後ケース体１２における上面壁１２ａの前端部に矩形状の第１切欠部１３ａが形成されて、前後のケース体１２，１８を組付けた際に、前記球供給路１６５における球出口と整合する上開口部１１ａを形成している（図３参照）。更に、前記後ケース体１２の下面壁１２ｂの前端部には矩形状の第２切欠部１３ｂが形成されて、前後のケース体１２，１８を組付けた際に、前記第１ベース部材２１の第１球排出路部２５（後述）が露出する下開口部（図示せず）を形成している。なお、後ケース体１２の右側面壁１２ｄには第３切欠部１３ｃが形成されており、前後のケース体１２，１８を組付けた際に、該第３切欠部１３ｃを介して第１ソレノイド４２および第２ソレノイド４３（何れも後述）の駆動制御を行なう制御手段（図示せず）に接続可能な接続部１９を外部に露出させてある。
【００２８】
（第１球処理機構部について）
前記第１収容ケース１１に収容される前記第１球処理機構部２０は、図１または図５に示すように、前記第１収容ケース１１に着脱可能に収容される第１ベース部材２１と、該第１ベース部材２１に水平揺動可能に配設されて、前記球供給路１６５から供給されるパチンコ球Ｒを５個単位で球通出路１６６，１６６に通出可能な樋部材５１と、第１ベース部材２１の前側を覆蓋保護すると共に球供給路１６５から供給されるパチンコ球Ｒを樋部材５１に流入させる第１カバー部材６１と、樋部材５１に流入したパチンコ球Ｒの存在を確認する第１の収容球確認センサ部７１とから基本的に構成されている。
【００２９】
（第１ベース部材について）
前記第１ベース部材２１は、図６に示すように、上壁部２１ａ、下壁部２１ｂ、後壁部２１ｃおよび左右の側壁部２１ｄ，２１ｅから前側に開口する略矩形状の箱体に形成される。そして、前記上壁部２１ａの左前端部および右側壁部２１ｄの下前端部に、前記後ケース体１２における固定用支柱１５，１５の小径ボス１５ａ，１５ａを挿入可能な通孔２２ａを設けたフランジ部２２が外側に向かって夫々延出している。すなわち、前記各フランジ部２２の通孔２２ａに前記後ケース体１２に設けた前記小径ボス１５ａを対応的に挿入することで、前記第１ベース部材２１が後ケース体１２に対して位置決めされる。なお、前記左右の側壁部２１ｅ，２１ｄには、前記第１カバー部材６１を固定するネジ孔３３，３３が前側を指向するよう形成されている。
【００３０】
また、前記上壁部２１ａの外側面には、図１，図６または図７に示すように、前記樋部材５１を揺動する第１ソレノイド（切替手段）４２が配設されている。この第１ソレノイド４２は、軸部４２ａ（図１５または図１６参照）が回動するロータリータイプのものが採用されると共に、前記上壁部２１ａの略中央位置に形成した挿通孔３１（図９または図１２参照）に、該軸部４２ａを挿通してある。一方、前記下壁部２１ｂにおいて前記挿通孔３１と上下に整列する略中央位置には、該挿通孔３１より小径に設定した支持孔３２が形成されており、該支持孔３２に前記樋部材５１の支持軸５９（後述）を挿通することで、該樋部材５１を揺動可能に支持している。
【００３１】
図３および図５〜図９に示すように、前記上壁部２１ａの前端縁には、前記第１収容ケース１１の上開口部１１ａと上下に整列する位置に、前記第１ベース部材２１にパチンコ球Ｒが通入する球通入部としての球通入口２３が前側に開口するよう形成してある。一方、前記下壁部２１ｂの前端縁には、前記第１収容ケース１１の下開口部（後ケース体１２の第２切欠部１３ｂ）に整合する第１球排出路部２５が形成されている。
【００３２】
また、前記右側壁部２１ｄにおける外側面には、図６〜図９に示すように、前記第１閉塞部材４６を揺動する第２ソレノイド（第２の切替手段）４３を配設固定する台部３８を形成してある。前記台部３８は、前記第２ソレノイド４３を載置する固定部３８ａと、該固定部３８ａに載置した該ソレノイド４３の右側部および後部を保護する保護壁部３８ｂとから構成されている。なお、前記固定部３８ａは、前記右側壁部２１ｄに沿って前方に上支持片３９が延出し、更に該上支持片３９の下方位置に下支持片４０が形成される。また前記上支持片３９の下面側には、前記第１閉塞部材４６の支軸４７ａを挿通する第１溝部（図示せず）が後方に開口するよう形成されると共に、前記下支持片４０の上面側には、該第１溝部と対応する位置に該支軸４７ａを挿通する第２溝部４０ａ（図６または図９参照）が形成されている。すなわち、前記第１および第２溝部４０ａの後方開口から、前記第１閉塞部材４６の支軸４７ａが挿通される。なお、前記第１ベース部材２１を前記後ケース１２内に収容した際に、前記第１および第２溝部４０ａの後方開口が前記位置決め片１６で閉塞されて、前記第１閉塞部材４６の支軸４７ａの脱落を防止するようになっている。
【００３３】
前記第２ソレノイド４３は、図６に示すように、厚肉の金属板を門型に折曲成形することで前側に開放端部が指向してなるフレーム４３ａと、一端部にフランジ４４ａが配設された磁力発生部４４とから基本的に構成されており、該フランジ４４ａを前側に位置させた状態で該フレーム４３ａの前端部に固着してある。また、前記磁力発生部４４には、所要径のロッド４４ｂが前後動可能に配設されると共に、該ロッド４４ｂの前端部に円盤状の係合板４４ｃが配設されており、この係合板４４ｃが前記第１閉塞部材４６に形成したスリット４７ｃ（後述）に挿通されている（図７参照）。なお、係合板４４ｃとフランジ４４ａとの間のロッド４４ｂにバネ等の弾性部材４５が介装されており、第２ソレノイド４３に通電されていない状態において、弾性部材４５により前記係合板４４ｃが常には前方に付勢されている。
【００３４】
（第１球排出路部について）
図６〜図９に示すように、前記第１ベース部材２１の下壁部２１ｂに設けられる前記第１球排出路部２５は、前記上壁部２１ａの球通入口２３と上下に整列する位置に開口した球抜き口２８ａに連通する球抜き路（球抜き部）２８と、該球抜き口２８ａの左側に隣接して開口した第１球排出口２６ａに連通する第１球排出路（第１球排出部）２６と、球抜き口２８ａの右側に隣接して開口した第２球排出口２７ａに連通する第２球排出路（第２球排出部）２７とから構成される。ここで、前記球抜き路２８（球抜き口２８ａ）は、前記下球皿１５６に連通する球抜出路１６７に連通すると共に、第１および第２球排出路２６，２７（第１および第２球排出口２６ａ，２７ａ）の夫々は、前記球通出路１６６，１６６に対応的に連通している。なお、前記第１および第２球排出路２６，２７の途中位置には、後方に突出する収容部２９，２９（図６または図１２参照）が形成されており、この収容部２９，２９に、第１および第２球排出路２６，２７を通出するパチンコ球Ｒを光学的に検出する通出球確認センサ（図示せず）が収容される。
【００３５】
（第１閉塞部材について）
図７または図１３に示すように、前記球抜き口２８ａは前記第１閉塞部材４６により常には閉塞されており、前記球通入口２３から前記樋部材５１に流入するパチンコ球Ｒの前記下球皿１５６への通出を規制している。ここで、前記第１閉塞部材４６は、図６に示すように、前記第２球排出口２７ａと整合するよう切り欠かれた通出部４６ｂを有する略コ字状の平板部材に形成され、該通出部４６ｂの左側に位置して前記球抜き口２８ａを閉塞する排出規制板４６ａと、当該通出部４６ｂの右側に位置して前記第２ソレノイド４３に連繋接続する作用部４６ｃとから構成される。
【００３６】
前記作用部４６ｃにおける前記通出部４６ｂに近接する位置には、上下方向に延出する前記支軸４７ａが形成されており、この支軸４７ａが前記第１ベース部材２１における台部３８の第１および第２溝部４０ａに挿通される。また、前記通出部４６ｂから右方向に離間する位置には、上方向に向かって腕部４７ｂが突設されると共に、該腕部４７ｂの左側部に上下方向の略全長に亘って形成されたスリット４７ｃに、前記第２ソレノイド４３の係合板４４ｃが上から挿通されている。すなわち、前記第２ソレノイド４３における前記ロッド４４ｂの前後動に伴い、前記第１閉塞部材４６の腕部４７ｂも前後動されて、該第１閉塞部材４６は前記支軸４７ａを中心に揺動するようになっている。
【００３７】
従って、前記第１閉塞部材４６は、前記第２ソレノイド４３に通電しない状態においては、図７に示すように、前記排出規制板４６ａにより前記球抜き口２８ａが閉塞されると共に、前記通出部４６ｂと第２球排出口２７ａが整合する球排出規制位置に位置し、前記第２ソレノイド４３に通電した状態においては、図１４に示すように、第１閉塞部材４６が支軸４７ａを中心に揺動変位（前記排出規制板４６ａが前方移動）して前記球抜き口２８ａを開放する球排出許容位置に位置する。なお、このとき前記通出部４６ｂと第２球排出口２７ａとは整合したままであり、パチンコ球Ｒの通出を許容している。
【００３８】
（第１の収容球確認センサ部を配設する第１設置部について）
前記第１ベース部材２１の内部には、前記第１の収容球確認センサ部７１を構成する第１センサ７２を配設する第１設置部３４が設けられる。この第１設置部３４は、図９に示すように、上下方向に長尺な略矩形状の平面部３５と、該平面部３５の上下端縁から後側に延出する固定片３６ａ，３６ｂとから形成されている。ここで、前記第１設置部３４は、前記平面部３５および上下の固定片３６ａ，３６ｂの左端部が、前記第１ベース部材２１の左側壁部２１ｅに固定されると共に、該上下の固定片３６ａ，３６ｂの後端部が第１ベース部材２１の後壁部２１ｃに固定される。すなわち、前記上固定片３６ａと上壁部２１ａとの間、下固定片３６ｂと下壁部２１ｂとの間、および第１設置部３４と右側壁部２１ｄとの間は、夫々所要間隔離間して、上部空間４１ａ、下部空間４１ｂおよび側部空間４１ｃが夫々形成される（図８参照）。そして、前記各空間４１ａ，４１ｂ，４１ｃに、前記樋部材５１の上板部５１ｂ、下板部５１ｃおよび補強板５３が夫々対応して挿通されている。なお、前記第１ベース部材２１における後壁部２１ｃにおける前記平面部３５と対応する部位が切り欠かれていると共に、左側壁部２１ｅにおける平面部３５および上下の固定片３６ａ，３６ｂに囲まれた部位が切り欠かれており、前記第１設置部３４が後方および左側に露出して、前記第１センサ７２を容易に着脱し得るように構成されている。
【００３９】
また、図８または図９に示すように、前記平面部３５の前面における前記球通入口２３および球抜き口２８ａと上下に整列する位置に第１の突出片３７が形成されると共に、該第１の突出片３７には、所定間隔毎に前後に貫通した５つ（樋部５５，５６に収容されるパチンコ球Ｒと対応する数）の第１の貫通孔３７ａが設けられている。更に、前記平面部３５の後面側における前記各第１の貫通孔３７ａと対応する位置に、前記第１センサ７２の発光部７２ｂ（後述）を収容する第１凹部３７ｂが形成されると共に、この第１凹部３７ｂの間に第１センサ７２を固定する一対の第１の突起部３７ｃ，３７ｃを上下方向に離間して形成してある（図１２参照）。また、前記平面部３５の後面側における左側部近傍には、図示しないネジ孔が形成されている。
【００４０】
（樋部材について）
図１０（ａ），（ｂ）に示すように、前記樋部材５１は、パチンコ球Ｒが通出する第１樋部５５および第２樋部５６が画成された前板部５１ａと、前板部５１ａの上端縁に形成されて前記第１ソレノイド４２の軸部４２ａと連結する連結支軸５８を立設した上板部５１ｂと、前板部５１ａの下端縁に形成されて前記後ケース体１２の支持孔３２に挿通する支持軸５９を垂下した下板部５１ｃと、前板部５１ａおよび上下の板部５１ｂ，５１ｃの右側縁に形成されて該樋部材５１を補強する補強板５３とから構成されている。すなわち、前記第１ソレノイド４２の軸部４２ａに前記連結支軸５８を連結し、前記後ケース体１２の支持孔３２に前記支持軸５９を挿通した際に、前記第１ベース部材２１の上壁部２１ａと前記第１設置部３４の上固定片３６ａとの間に位置する前記上部空間４１ａに、前記樋部材５１の上板部５１ｂが位置し、該第１ベース部材２１の下壁部２１ｂと第１設置部３４の下固定片３６ｂとの間に位置する前記下部空間４１ｂに、該樋部材５１の下板部５１ｃが位置すると共に、当該第１ベース部材２１の右側壁部２１ｄと第１設置部３４との間に位置する前記側部空間４１ｃに、当該樋部材５１の補強板５３が位置している。
【００４１】
また前記前板部５１ａには、その左右両側端縁から前側に向かって延出する左右の側板５１ｅ，５１ｄと、該前板部５１ａの左右方向の略中央位置に、上下方向の略全長に亘って延在する仕切板５２とが形成されている。そして、前記左側板５１ｅと仕切板５２とにより、第１樋部５５が画成されると共に、前記右側板５１ｄと仕切板５２とにより、第２樋部５６が画成されている。すなわち、前記樋部材５１には、上下に延在する２条の樋部５５，５６が左右に並列で構成してある。なお、前記第１樋部５５および第２樋部５６の長さ寸法は、各樋部５５，５６に夫々５個のパチンコ球Ｒを収容し得るよう設定される。
【００４２】
また、前記樋部材５１は、前記第１ソレノイド４２を駆動することにより、第１状態および第２状態に水平揺動（移動）変位されるようになっている。ここで、第１状態では、前記第１樋部５５の球出口５５ｂ（下端部側）と前記第１ベース部材２１の第１球排出口２６ａとが連通すると共に、前記第２樋部５６の球入口５６ａ（上端部側）と第１ベース部材２１の球通入口２３とが連通する（図７または図１５参照）。また第２状態では、前記第２樋部５６の球出口５６ｂ（下端部側）と前記第１ベース部材２１の第２球排出口２７ａとが連通すると共に、前記第１樋部５５の球入口５５ａ（上端部側）と第１ベース部材２１の球通入口２３とが連通する（図１３または図１６参照）。すなわち、前記第１状態および第２状態の何れの状態にあっても、前記球通入口２３に前記第１樋部５５または第２樋部５６の何れか一方が連通するようになっている。
【００４３】
なお、前記樋部材５１の前板部５１ａにおける第１樋部５５と対応する部位には、該樋部材５１が前記第２状態にある場合に、前記第１ベース部材２１の第１設置部３４に設けた前記各第１の貫通孔３７ａと前後に整列する位置に第１検出孔５５ｃが夫々対応して形成されている（図１０（ａ）参照）。また同様に、前記前板部５１ａにおける前記第２樋部５６と対応する部位には、樋部材５１が前記第１状態にある場合に、前記各第１の貫通孔３７ａと前後に整列する位置に第２検出孔５６ｃを夫々対応的に形成してある。
【００４４】
（第１カバー部材について）
前記第１カバー部材６１は、図１，図５または図１１に示すように、前記第１ベース部材２１の前側開口を覆蓋する略矩形の本体部６２と、該本体部６２の裏側に形成されて前記第１収容ケース１１の上開口部１１ａと整合する球導入路部６５とから基本的に構成されている。そして、前記第１カバー部材６１は、前記本体部６２の右側縁上部および左側縁下部に設けた通孔６２ａの夫々に、該第１カバー部材６１の前側から挿通したネジ（図示せず）を、前記第１ベース部材２１のネジ孔３３に螺挿することで固定される。
【００４５】
また、前記本体部６２の前側には、前記球導入路部６５と上下方向に整列する位置に第２の突出片６３が形成されると共に、該第２の突出片６３には、前記第１ベース部材２１の第１設置部３４に設けた前記各第１の貫通孔３７ａと前後に整列する位置に、第２の貫通孔６３ａが設けられている。更に、前記第２の突出片６３の前側端面における前記各第２の貫通孔６３ａと対応する位置に第２凹部６３ｂが形成されると共に、該第２凹部６３ｂの間に第２センサ７３を固定する一対の第２の突起部６３ｃ，６３ｃが上下方向に離間して形成されている（図１２参照）。また、前記本体部６２の右側部近傍に、前記第２の突出片６３と略同一の高さのボス部６２ｂ，６２ｂが上下方向に離間して設けられ、各ボス部６２ｂの端部にネジ孔６２ｃが形成されている。
【００４６】
前記第１カバー部材６１における前記球導入路部６５は、図１に示すように、前側および上下に開口する導入路６５ａを画成した略コ字状に形成されている。そして、図５に示すように、前記第１ベース部材２１の球通入口２３に前記球導入路部６５が挿通されており、前記導入路６５ａの球出口に、前記第１樋部５５の球入口５５ａまたは第２樋部５６の球入口５６ａの何れか一方が整列するようになっている。また、この球導入路部６５の上端に形成した第２の嵌合凸部６５ｂ（図１１参照）が、前記第１収容ケース１１の上開口部１１ａに嵌合して、前記球供給路１６５から供給されるパチンコ球Ｒを、前記導入路６５ａを介して前記第１または第２樋部５５，５６に流入するよう構成してある（図３参照）。更に、図１２に示すように、前記球導入路部６５の上端部には後方に向かって押え部６６が延出されて、前記第１ベース部材２１の上部に位置する前記第１ソレノイド４２を位置決めしている。
【００４７】
なお、前記第１カバー部材６１における前記本体部６２の下方位置には、前記第１閉塞部材４６の前側において前側に凹む退避部６４が設けられており、該第１カバー部材６１を前記第１ベース部材２１に取付けた際に、この退避部６４によって前記第１閉塞部材４６の揺動変位を許容し得るようになっている。
【００４８】
（第１の収容球確認センサ部について）
図１，図９または図１２に示すように、第１の収容球確認センサ部７１は前記第１ベース部材２１に形成した前記第１設置部３４の後側に配設される前記第１センサ７２と、前記第１カバー部材６１における本体部６２の前側に配設される前記第２センサ７３とから構成される。図９に示すように、前記第１センサ７２における略矩形状の設置板７２ａの前面側には、前記各第１凹部３７ｂに挿通し得る５つの発光部７２ｂが、上下方向に所定間隔毎に配設されている。また、前記設置板７２ａにおける前記発光部７２ｂの間に、前記第１の突部３７ｃを嵌挿し得る一対の嵌入孔７２ｃ，７２ｃが、上下に離間して形成されると共に、該発光部７２ｂの左側部に、通孔７２ｄ，７２ｄが上下方向に離間して夫々形成されている。すなわち、前記各発光部７２ｂを前記第１設置部３４に形成した前記第１の凹部３７ｂに対応的に収納した状態で、前記第１ベース部材２１の第１設置部３４に設けた前記各第１の突起部３７ｃを前記各嵌入孔７２ｃに嵌挿し、更にこの状態で後方側から前記各通孔７２ｄに挿通した図示しないネジを、当該第１設置部３４の後面側に形成したネジ孔に螺挿することで、該第１ベース部材２１に第１センサ７２が固定される。
【００４９】
また、前記第２センサ７３における略矩形状の設置板７３ａの後面側には、前記各第２凹部６３ｂに挿通されて前記発光部７２ｂの光を対応的に検出する５つの受光部７３ｂが配設されている。また、前記設置板７３ａにおける前記受光部７３ｂの間に、前記第２の突起部６３ｃを嵌挿し得る一対の嵌入孔７３ｃ，７３ｃが上下に離間して形成されると共に、該受光部７３ｂの右側部に、通孔７３ｄ，７３ｄが上下方向に離間して夫々形成されている。すなわち、前記受光部７３ｂを前記第１カバー部材６１の第２凹部６３ｂに対応的に収納した状態で、前記第１カバー部材６１の本体部６２における前記各第２の突起部６３ｃを前記各嵌入孔７３ｃに嵌挿し、更にこの状態で前方側から前記各通孔７３ｄに挿通した図示しないネジを、前記第１カバー部材６１の本体部６２に形成したネジ孔６２ｃ，６２ｃ（図１１参照）に螺挿することで、該第１カバー部材６１に第２センサ７３が固定される。
【００５０】
そして、前記樋部材５１における前記球通入口２３に連通した第１または第２樋部５５，５６にパチンコ球Ｒが未収容の場合には、前記第１センサ７２の各発光部７２ｂの光は、前記第１ベース部材２１の第１の貫通孔３７ａ、樋部材５１の第１または第２検出孔５５ｃ，５６ｃ、前記第１カバー部材６１の第２の貫通孔６３ａを夫々通過して、前記第２センサ７３の受光部７３ｂで検出される。一方、前記樋部材５１における前記球通入口２３に連通した第１または第２樋部５５，５６にパチンコ球Ｒが収容されている場合には、前記第１センサ７２の各発光部７２ｂの光は、該パチンコ球Ｒにより遮断されて前記第１または第２検出孔５５ｃ，５６ｃを通過し得ないので、前記第２センサ７３の受光部７３ｂで検出されない。すなわち、前記樋部材５１に５個のパチンコ球Ｒが収容されて全ての第１センサ７２の光が遮断されることで、５個のパチンコ球Ｒの収容が検出されるようになっている。そして、この第１の収容球確認センサ部７１により５個のパチンコ球Ｒの収容を検出した際に、前記樋部材５１を揺動し得るよう構成してある。
【００５１】
【実施例の作用】
次に、前述のように構成した実施例に係る第１球取込装置の作用につき説明する。
【００５２】
（パチンコ球の取り込みについて）
そこで、先ずパチンコ式スロットマシン機１５０へのパチンコ球Ｒの取り込みについて説明する。前記第１球取込装置１０は、前記第１球処理機構部２０を収容した前記第１収容ケース１１単位でユニットとして取り扱われ、前記パチンコ式スロットマシン機１５０における上球皿１５４の裏側に、該上球皿１５４に連通する球供給路１６５の球出口に第１収容ケース１１の上開口部１１ａが整合した状態で配設される。そして、前記第１収容ケース１１の下側に露出する前記第１球排出路部２５における前記第１および第２球排出路２６，２７に、パチンコ式スロットマシン機１５０内にパチンコ球Ｒを取り込む球通出路１６６，１６６が連通すると共に、前記球抜き路２８に、前記下球皿１５６に連通する球抜出路１６７が連通している。ここで、前記第１収容ケース１１に収容された前記樋部材５１は、前記第１樋部５５の球出口５５ｂと第１球排出口２６ａとが連通すると共に、前記第２樋部５６の球入口５６ａと前記球通入口２３（球導入路６５ａ）とが連通する第１状態になっている。なお、前記第１閉塞部材４６は、前記第２樋部５６の球出口５６ｂを閉塞する球排出規制位置に位置している。
【００５３】
この第１状態で、遊技者が前記上球皿１５４にパチンコ球Ｒを供給すると、該パチンコ球Ｒは前記球供給路１６５を通出し、前記球通入口２３（球導入路６５ａ）を介して前記第２樋部５６に流入する。なお、前記第２樋部５６に流入したパチンコ球Ｒは、該第２樋部５６の球出口５６ｂが前記第１閉塞部材４６により閉塞されているので、前記球抜き口２８ａ（球抜き路２８）に通出することはない。ここで、前記第２樋部５６にパチンコ球Ｒが収容されると、前記第１センサ７２の発光部７２ｂと前記第２センサ７３の受光部７３ｂとの間の光が順次遮断され、全ての発光部７２ｂからの光が遮断されると、前記第２樋部５６に５個のパチンコ球Ｒが収容されたものと判断されて、パチンコ球Ｒの機内への取り込みが可能となる。
【００５４】
このとき、遊技者がパチンコ式スロットマシン機１５０に設けた前記球取込ボタン１６０を操作すると、前記第１ソレノイド４２により前記樋部材５１が揺動されて、前記第２樋部５６の球出口５６ｂと前記第２球排出口２７ａとが連通すると共に、前記第１樋部５５の球入口５５ａと前記球通入口２３（球導入路６５ａ）とが連通する第２状態に変位する。このとき、図１６に示すように、前記第２樋部５６に収容された５個のパチンコ球Ｒは、該第２樋部５６の球出口５６ｂから前記第２球排出口２７ａを介して第２球排出路２７に通出した後に、該第２球排出路２７から前記球通出路１６６に通出して機内に取り込まれる。なお、前記球通出路１６６に通出するパチンコ球Ｒは、前記第２球排出路２７の途中に配設した前記通出球確認センサにより検出される。このように、パチンコ球Ｒを機内に取り込むに際し複数のセンサ（第１の収容球確認センサ部７１および通出球確認センサ）でパチンコ球Ｒを検出することで、所定数以外のパチンコ球Ｒが取り込まれてゲームが開始されないようになっている。
【００５５】
また、前記第２樋部５６のパチンコ球Ｒを球通出路１６６に通出すると同時に、前記上球皿１５４に貯留されたパチンコ球Ｒが前記球供給路１６５を通出し、前記球通入口２３（球導入路６５ａ）を介して第１樋部５５に流入する（図１６参照）。この場合も前述と同様に、前記第１樋部５５に流入したパチンコ球Ｒの前記球抜き口２８ａ（球抜き路２８）への通出は、前記第１閉塞部材４６により規制されている。ここで、前記第１樋部５５にパチンコ球Ｒが収容されると、前記第１センサ７２の発光部７２ｂと前記第２センサ７３の受光部７３ｂとの間の光が順次遮断され、全ての発光部７２ｂからの光が遮断されると、前記第１樋部５５に５個のパチンコ球Ｒが収容されたものと判断されて、パチンコ球Ｒの機内への取り込みが可能となる。
【００５６】
このとき、遊技者が前記球取込ボタン１６０を操作することにより、前記第１ソレノイド４２により前記樋部材５１が揺動されて、前記第１樋部５５の球出口５５ｂと前記第１球排出口２６ａとが連通すると共に、前記第２樋部５６の球入口５６ａと前記球通入口２３とが連通する第１状態に再度変位される。そして、図１５に示すように、前記第１樋部５５に収容された５個のパチンコ球Ｒは、該第１樋部５５の球出口５５ｂから前記第１球排出口２６ａを介して第１球排出路２６に通出した後に、該第１球排出路２６から前記球通出路１６６に通出して機内に取り込まれる。なお、前記球通出路１６６に通出するパチンコ球Ｒは、前記第１球排出路２６の途中に配設した前記通出球確認センサにより検出される。このように第１球排出路２６をパチンコ球Ｒが通出する際も、パチンコ球Ｒを機内に取り込むに際し複数のセンサ（第１の収容球確認センサ部７１および通出球確認センサ）でパチンコ球Ｒを検出することで、所定数以外のパチンコ球Ｒが取り込まれてゲームが開始されないようになっている。
【００５７】
また、前記第１樋部５５のパチンコ球Ｒを球通出路１６６に通出すると同時に、前記上球皿１５４に貯留されたパチンコ球Ｒが前記球供給路１６５を通出し、前記球通入口２３（球導入路６５ａ）を介して第２樋部５６に流入する（図１５参照）。この場合も前述と同様に、前記第２樋部５６に流入したパチンコ球Ｒの前記球抜き口２８ａ（球抜き路２８）への通出は、前記第１閉塞部材４６により規制される。ここで、前記第２樋部５６にパチンコ球Ｒが収容されると、前記第１センサ７２の発光部７２ｂと前記第２センサ７３の受光部７３ｂとの間の光が順次遮断され、全ての発光部７２ｂからの光が遮断されると、前記第２樋部５６に５個のパチンコ球Ｒが収容されたものと判断されて、パチンコ球Ｒの機内への取り込みが可能となる。
【００５８】
以上説明したように、前記樋部材５１を第１状態または第２状態に揺動変位させると、パチンコ球Ｒを収容した一方の樋部５５，５６からパチンコ球Ｒが機内に取り込まれ、他方の樋部５６，５５に５個のパチンコ球Ｒが収容される。すなわち、一度の動作で機内へのパチンコ球Ｒの取り込みおよび樋部材５１へのパチンコ球Ｒの収容を行ない得るので、複数回連続してパチンコ球Ｒを取り込む際にも迅速に行なうことが可能となる。このため、遊技者の球取込ボタン１６０の操作と球の取り込みとの間の時間差が少なくなり、快適に遊技を行ない得るようになる。また、前記樋部材５１の揺動回数を減少させ得るので、前記第１球取込装置１０の耐久性を向上させ得る。更に、前記第１球処理機構部２０（第１球取込装置１０）は、前記樋部材５１が第１状態と第２状態との間を揺動変位し得る大きさであればよいので、従来のリボルバー式の装置に較べて小型化が可能である。
【００５９】
（パチンコ球Ｒの球抜きについて）
次に、前記上球皿１５４に貯留されたパチンコ球Ｒの取り出し（所謂球抜き）について説明する。例えば、遊技を終了して前記上球皿１５４に貯留されたパチンコ球Ｒを球抜きする際に、遊技者がパチンコ式スロットマシン機１５０に設けた前記球抜き用ボタン１６３を操作すると、前記第２ソレノイド４３に通電され、該第２ソレノイド４３に挿通配置されたロッド４４ｂが弾性部材４５の弾性力に抗して磁力発生部４４の内方（後方）に移動する。これにより、前記ロッド４４ｂに設けた前記係合板４４ｃに接続された前記第１閉塞部材４６の作用部４６ｃも後方に引っ張られ、この結果として、該第１閉塞部材４６は、前記支軸４７ａを中心に揺動されて前記排出規制板４６ａが球抜き口２８ａを開放する球通出許容位置に変位する（図１４参照）。なお、前記第１閉塞部材４６が球排出許容位置に変位した場合にも、第１状態においては前記第１樋部５５の球出口５５ｂと前記第１球排出口２６ａとが連通すると共に、第２状態においては前記第２樋部５６の球出口５６ｂと前記第２球排出口２７ａとが連通している。
【００６０】
従って、前記樋部材５１が第１状態にある場合では、前記上球皿１５４から球供給路１６５に通出し、前記球通入口２３（導入路６５ａ）を介して前記第２樋部５６に流入したパチンコ球Ｒは、前記第１閉塞部材４６で規制されることなく該第２樋部５６の球出口５６ｂから球抜き口２８ａを介して前記球抜き路２８に通出する。そして、このパチンコ球Ｒは、前記球抜き路２８から前記球抜出路１６７に通出して前記下球皿１５６に抜き出される。また、前記樋部材５１が第２状態にある場合にも同様に、前記上球皿１５４から球供給路１６５に通出し、前記球通入口２３（導入路６５ａ）を介して前記第１樋部５５に流入したパチンコ球Ｒは、前記第１閉塞部材４６で規制されることなく該第１樋部５５の球出口５５ｂから球抜き口２８ａを介して前記球抜き路２８に通出すると共に、球抜き路２８から球抜出路１６７に通出して前記下球皿１５６に抜き出される。
【００６１】
このように、前記樋部材５１が、第１状態または第２状態の何れの状態にある場合であっても、遊技者の球抜き用ボタン１６３の操作に応じて迅速に球抜きを行なうことができる。また、前記球抜き口２８ａと前記第１および第２球排出口２６ａ，２７ａとを別に設けるようにしたことで、第１樋部５５または第２樋部５６に収容したパチンコ球Ｒを、機内に取り込んでいる途中で前記球抜き用ボタン１６３の操作を行なったとしても、パチンコ球Ｒの機内への取り込みおよび下球皿１５６への球の抜き出しの何れも確実に行なうことができる。
【００６２】
【別実施例】
なお、前述した実施例に係る第１球取込装置では、球供給路に連通する球通入口を１箇所設け、球通出路に連通する球排出口を２箇所（第１および第２球排出口）設けるようにしたが、球供給路に連通する球通入口を２箇所設けると共に、球通出路に連通する球排出口を１箇所設けるよう構成することもできる。そこで、２箇所の球通入口と１箇所の球排出口とを備える第２球取込装置につき、図１７〜図２２を参照して説明する。なお、前述の第１球取込装置と同一の部材には同一の符号を付して、詳細な説明は省略する
【００６３】
（第２球取込装置について）
第２球取込装置８０は、図１７に示すように、前記上球皿１５４から筐体内部に連通する球供給路１６５，１６５と、パチンコ球Ｒを機内に取り込む球通出路１６６との間に配設されて、該球供給路１６５，１６５から供給されるパチンコ球Ｒを所定数（５個）単位で球通出路１６６に通出する装置である。前記第２球取込装置８０は、図１９に示すように、前側に開口する略矩形状の後ケース体８２と、後側に開口する略矩形状の前ケース体８８とから箱体状に形成された第２収容ケース８１内に、第２球処理機構部９０（後述）を収容して構成されており、該第２球取込装置８０を該第２収容ケース８１単位のユニットとして取扱い得るようになっている。そして、前記後ケース体８２の上面壁８２ａに前記球供給路１６５の一方と連通する第１上開口部８１ａおよび他方と連通する第２上開口部８１ｂが左右方向に離間した２箇所に形成されると共に、下面壁８２ｂに該第２収容ケース８１内に収容する第２球処理機構部９０の第２球排出路部９５に整合する下開口部（図示せず）が形成されている。なお、この第２球取込装置８０に関する以下の説明において、前後、左右および上下とは、図１７に示すように、前記上球皿１５４を裏側から見た状態で指称するものとする。
【００６４】
（第２球処理機構部について）
前記第２収容ケース８１に収容される前記第２球処理機構部９０は、図１８に示すように、前記第２収容ケース８１に着脱可能に収容される第２ベース部材９１と、該第２ベース部材９１に水平揺動（移動）可能に配設されて、前記球供給路１６５，１６５から供給されるパチンコ球Ｒを５個単位で球通出路１６６に通出可能な前記樋部材１２０と、第２ベース部材９１の前側を覆蓋保護すると共に球供給路１６５，１６５から供給されるパチンコ球Ｒを樋部材１２０に流入させる第２カバー部材１３１と、樋部材１２０に収容したパチンコ球Ｒを確認する第２の収容球確認センサ部１４１とから基本的に構成されている。
【００６５】
（第２ベース部材について）
前記第２ベース部材９１における上壁部９１ａの前端縁には、前記第２収容ケース８１の左側に位置する第１上開口部８１ａと上下に整列する位置に、該ベース部材９１にパチンコ球Ｒが通入する第１球通入部としての第１球通入口９３が形成され、該第２収容ケース８１の右側に位置する第２上開口部８１ｂと上下に整列する位置に、パチンコ球Ｒが流入する第２球通入部としての第２球通入口９４が形成されている（図１９参照）。一方、前記第２ベース部材９１における下壁部９１ｂの前端縁には、前記第２収容ケース８１の下開口部に整合する第２球排出路部９５が形成されている。また、前記第１球取込装置１０と同様に、前記第２ベース部材９１における上壁部９１ａの外側面には、図１８または図２０に示すように、前記樋部材１２０を揺動する第１ソレノイド４２が配設されて、該第２ベース部材９１内に収容した前記樋部材１２０を揺動させるよう構成してある。
【００６６】
なお、図２０に示すように、前記第２ベース部材９１の右側壁部９１ｃにおける外側面に形成された前記台部３８に前記第２ソレノイド４３が配設されて、第２閉塞部材１１６（後述）を揺動するようになっている。また、前記前記第２ベース部材９１の左右両側壁部９１ｃ，９１ｄにおける上部位置は、外側に向かって突出した突出空間９９，９９が形成されており、該空間９９，９９に前記樋部材１２０の第１および第２通入規制板１２１，１２２（後述）が退避するようになっている。
【００６７】
（第２球排出路部について）
図１８または図２０に示すように、前記第２球排出路部９５は、前記第２ベース部材９１における上壁部９１ａの左側に位置する第１球通入口９３と上下に整列する位置に開口した第１球抜き口９７ａに連通する第１球抜き路９７（第１球抜き部）と、該上壁部９１ａの右側に位置する第２球通入口９４と上下に整列する位置に開口した第２球抜き口９８ａに連通する第２球抜き路９８（第２球抜き部）と、該第１球抜き口９７ａおよび第２球抜き口９８ａの間に開口した球排出口９６ａに連通する球排出路９６（球排出部）とから構成される。ここで、前記第１および第２球抜き路９７，９８（第１および第２球抜き口９７ａ，９８ａ）の夫々は前記下球皿１５６に連通する球抜出路１６７に連通し、球排出路９６（球排出口９６ａ）は前記球通出路１６６に連通している。なお、前記球排出路９６の途中位置には後方に突出する収容部（図示せず）が形成されて、この収容部に該球排出路９６を通出するパチンコ球Ｒを光学的に検出する前記通出球確認センサ（図示せず）が収容されている。
【００６８】
すなわち、前記第２ベース部材９１に収容された樋部材１２０は、前記第１ソレノイド４２により、前記第１樋部５５の球入口５５ａと前記第１球通入口９３とが連通すると共に、前記第２樋部５６の球出口５６ｂと前記球排出口９６ａとが連通する第１状態、並びに前記第２樋部５６の球入口５６ａと前記第２球通入口９４とが連通すると共に、前記第１樋部５５の球出口５５ｂと前記球排出口９６ａとが連通する第２状態の何れかの状態に揺動変位される。なお、前記樋部材１２０における第１樋部５５の球入口５５ａの上端部には、左側に向かって延出する第１通入規制板１２１が形成されて、また第２樋部５６の球入口５６ａの上端部には、右側に向かって延出する第２通入規制板１２２が形成されている。
【００６９】
（第２閉塞部材について）
図２０に示すように、前記第１および第２球抜き口９７ａ，９８ａは前記第２閉塞部材１１６により常には閉塞されており、前記第１および第２球通入口９３，９４から樋部材１２０に流入したパチンコ球Ｒが、各球抜き口９７ａ，９８ａを介して前記下球皿１５６に通出しないようになっている。ここで、前記第２閉塞部材１１６は、前記球排出口９６ａと整合するよう切り欠かれた通出部１１６ｃを有する略コ字状の平板部材に形成されている。そして、前記第２閉塞部材１１６は、前記通出部１１６ｃの左側に位置して前記第１状態において前記第１樋部５５の球出口５５ｂを閉塞する第１排出規制板１１６ａと、該通出部１１６ｃの右側に位置して前記第２状態において前記第２樋部５６の球出口５６ｂを閉塞する第２排出規制板１１６ｂとから構成される。
【００７０】
また、前記第２排出規制板１１６ｂの右端部には、上方向に向かって腕部１１７ｂが突設されると共に、該腕部１１７ｂの左側部に上下方向の略全長に亘ってスリット１１７ｃが形成されている。また、前記腕部１１７ｂから左側に離間する位置に、前記台部３８の第１および第２溝部４０ａに挿通する支軸１１７ａが形成されている。更に、前記スリット１１７ｃに、前記第２ソレノイド４３の係合板４４ｃが挿通されており、該第２ソレノイド４３のロッド４４ｂの前後動に伴い、前記第２排出規制板１１６ｂの腕部１１７ｂも前後動され、前記第２閉塞部材１１６が前記支軸１１７ａを中心に揺動するようになっている。
【００７１】
従って、前記第２閉塞部材１１６は、前記第２ソレノイド４３に通電しない状態においては、前記第１および第２排出規制板１１６ａ，１１６ｂにより前記第１樋部５５および第２樋部５６の球出口５５ｂ，５６ｂが閉塞されると共に、前記通出部１１６ｃと球排出口９６ａが整合する球排出規制位置に位置するようになっている。また、前記第２ソレノイド４３に通電した状態においては、前記第２閉塞部材１１６が前記支軸１１７ａを中心に揺動変位（前記第１および第２排出規制板１１６ａ，１１６ｂが前方移動）して対応する前記第１樋部５５および第２樋部５６の球出口５５ｂ，５６ｂを夫々開放すると共に、前記通出部１１６ｃと球排出口９６ａが整合する球排出許容位置に位置される。
【００７２】
（第２の収容球確認センサ部を配設する第２設置部について）
前記第２ベース部材９１の内部には、前記第２の収容球確認センサ部１４１を構成する第１センサ１４２を配設する第２設置部１０４が設けられている。前記第２設置部１０４は、前述した実施例の第１設置部３４と同様に、図２０に示すように、上下方向に長尺な略矩形状の平面部１０５と、該平面部１０５の上下端縁から後側に延出する固定片（図示せず）とから形成されて、該上固定片と第２ベース部材９１の上壁部９１ａとの間、下固定片と下壁部９１ｂとの間および第２設置部１０４と右側壁部９１ｃとの間が夫々所要間隔離間して、前記樋部材１２０の上板部５１ｂを挿通する上部空間、該樋部材１２０の下板部５１ｃを挿通する下部空間、および当該樋部材１２０の補強板５３を挿通する側部空間（何れも図示せず）が夫々形成されている。
【００７３】
また、前記平面部１０５の前面における前記第１および第２球通入口９３，９４および第１および第２球抜き口９７ａ，９８ａと上下に整列する位置に第１の突出片１０７，１０７（図２０において、左側に位置する第１の突出片１０７のみ図示）が形成されると共に、各第１の突出片１０７に、上下方向に所定間隔毎に前後に貫通した５つの第１の貫通孔１０７ａが夫々設けられている。更に、前記平面部１０５の後面側における前記各第１の貫通孔１０７ａと対応する位置に、前記第１センサ１４２の発光部７２ｂを収容する第１凹部（図示せず）が形成されると共に、この第１凹部の間に第１センサ１４２を固定する一対の第１の突起部（図示せず）を上下方向に離間して形成してある。また、前記平面部１０５の後面側における左右方向の略中央位置に上下に離間して図示しないネジ孔が形成されている。
【００７４】
（第２カバー部材について）
前記第２カバー部材１３１は、前記第２ベース部材９１の前側開口を覆蓋する略矩形状の本体部１３２と、該本体部１３２の裏側に形成されて前記第２収容ケース８１の前記第１上開口部８１ａと整合する第１球導入路部１３５と、前記第２上開口部８１ｂと整合する第２球導入路部１３６とから基本的に構成されている。前記本体部１３２の前側には、前記各球導入路部１３５，１３６と上下方向に整列する位置に第２の突出片１３３，１３３が夫々形成されると共に、各第２の突出片１３３には、前記第２ベース部材９１の第２設置部１０４に設けた前記各第１の貫通孔１０７ａと前後に整列する位置に、第２の貫通孔（図示せず）が設けられている。更に、前記各第２の突出片１３３における前記第２の貫通孔と対応する位置に第２凹部１３３ａが形成されると共に、第２センサ１４３を固定する一対の第２の突起部１３３ｂ，１３３ｂが上下方向に離間して形成されている（図１８参照）。また、前記本体部１３２における左右方向の略中央位置に上下に離間して前記各第２の突出片１３３と略同一の高さの一対のボス部１３２ａ，１３２ａが上下方向に離間して設けられ、各ボス部１３２ａの端部にネジ孔１３２ｂが形成されている。
【００７５】
前記第２カバー部材１３１における前記各球導入路部１３５，１３６は、図１８に示すように、前側および上下に開口する導入路１３５ａ，１３６ａを夫々画成した略コ字状に形成されている。そして、前記第２ベース部材９１の第１球通入口９３に前記第１球導入路部１３５が挿通されると共に、第２球通入口９４に前記第２球導入路部１３６が挿通される。すなわち、前記第１導入路１３５ａの球出口に、前記第１樋部５５の球入口５５ａが整列し得ると共に、前記第２導入路１３６ａの球出口に、第２樋部５６の球入口５６ａが整列し得るようになっている（図２１または図２２参照）。また、この各球導入路部１３５，１３６の上端に形成した第２の嵌合凸部１３５ｂ，１３６ｂ（図１８参照）が、前記第２収容ケース８１の各上開口部８１ａ，８１ｂに対応的に嵌合している（図１９参照）。このため、前記球供給路１６５から供給されるパチンコ球Ｒは、前記第１状態においては前記第１導入路１３５ａを介して前記第１樋部５５に流入すると共に、前記第２通入規制板１２２により前記第２導入路１３６ａの球出口を閉塞して、パチンコ球Ｒの通出を規制している。一方、前記球供給路１６５から供給されるパチンコ球Ｒは、前記第２状態においては前記第２導入路１３６ａを介して前記第２樋部５６に流入すると共に、前記第１通入規制板１２１により前記第１導入路１３５ａの球出口を閉塞して、パチンコ球Ｒの通出を規制するようになっている。
【００７６】
なお、前記第２カバー部材１３１における前記本体部１３２の下方位置には、前記実施例と同様に、前側に凹む退避部１３４が設けられており、該第２カバー部材１３１を前記第２ベース部材９１に取付けた際に、前記第２閉塞部材１１６の揺動変位を許容するようになっている。
【００７７】
（第２の収容球確認センサ部について）
図１８に示すように、前記第２の収容球確認センサ部１４１は前記第２ベース部材９１に形成した前記第２設置部１０４の後側に配設される前記第１センサ１４２と、前記第２カバー部材１３１における本体部１３２の前側に配設される前記第２センサ１４３とから構成される。前記第１センサ１４２における略矩形状に形成された設置板１４２ａの左右両側部には、前記第２設置部１０４の各第１凹部に挿通し得る５つの発光部７２ｂが、上下方向に所定間隔離間して夫々配設されると共に、該設置板１４２ａにおける前記発光部７２ｂの間に、前記第１の突起部を嵌挿し得る一対の嵌入孔１４２ｂ，１４２ｂが、上下に離間して夫々形成される。また、前記設置板１４２ａにおける左右方向の略中央位置に上下方向に離間して通孔１４２ｃ，１４２ｃが夫々形成されている。すなわち、前記各発光部７２ｂを前記第２設置部１０４に形成した前記各第１の凹部に対応的に収納した状態で、前記第２ベース部材９１の第２設置部１０４に設けた前記各第１の突起部を前記各嵌入孔１４２ｂに嵌挿し、更にこの状態で後方側から前記各通孔１４２ｃに挿通した図示しないネジを、当該第２設置部１０４の後面側に形成したネジ孔に螺挿することで、該第２ベース部材９１に第１センサ１４２が固定される。
【００７８】
また、前記第２センサ１４３における略矩形状に形成された設置板１４３ａの左右両側部には、図１８に示すように、前記発光部７２ｂの光を対応的に検出する受光部７３ｂが配設されている。また、前記設置板１４３ａにおける前記受光部７３ｂの間には、上下に離間して一対の嵌入孔１４３ｂ，１４３ｂが形成されると共に、該設置板１４３ａにおける左右方向の略中央位置に上下方向に離間して通孔１４３ｃ，１４３ｃが夫々形成されている。すなわち、前記受光部７３ｂを前記第２カバー部材１３１の第２凹部１３３ａに対応的に収納した状態で、前記第２カバー部材１３１の本体部１３２における前記各第２の突起部１３３ｂを前記各嵌入孔１４３ｂに嵌挿し、更にこの状態で前方側から前記各通孔１４３ｃに挿通した図示しないネジを、前記第２カバー部材１３１の本体部１３２に形成したネジ孔１３２ｂに螺挿することで、該第２カバー部材１３１に第２センサ１４３が固定される。
【００７９】
そして、前記樋部材１２０における前記第１または第２球通入口９３，９４に連通した第１または第２樋部５５，５６にパチンコ球Ｒが未収容の場合には、前記第１センサ１４２の各発光部７２ｂの光軸は、前記第２ベース部材９１の第１の貫通孔１０７ａ、樋部材１２０の第１または第２検出孔５５ｃ，５６ｃ、前記第２カバー部材１３１の第２の貫通孔を夫々通過して、前記第２センサ１４３の受光部７３ｂで検出される。一方、前記樋部材１２０における前記第１または第２球通入口９４，９４に連通した第１または第２樋部５５，５６にパチンコ球Ｒが収容されている場合には、前記第１センサ１４２の各発光部７２ｂの光は、該パチンコ球Ｒにより遮断されて前記第１または第２検出孔５５ｃ，５６ｃを通出し得ないので、前記第２センサ１４３の受光部７３ｂで検出されない。すなわち、前記樋部材１２０に５個のパチンコ球Ｒが収容されて全ての第１センサ１４２の光が遮断されることで、５個のパチンコ球Ｒの収容が検出されるようになっている。そして、この第２の収容球確認センサ部１４１により５個のパチンコ球Ｒの収容を検出した際に、前記樋部材１２０を揺動し得るよう構成してある。
【００８０】
【別実施例の作用】
次に、前述のように構成した別実施例に係る第２球取込装置の作用につき説明する。
【００８１】
（パチンコ球の取り込みについて）
そこで、先ずパチンコ式スロットマシン機１５０へのパチンコ球Ｒの取り込みについて説明する。前記第２球取込装置８０は、前記第２球処理機構部９０を収容した前記第２収容ケース８１単位でユニットとして取り扱われ、前記パチンコ式スロットマシン機１５０における上球皿１５４の裏側に、該上球皿１５４に連通する球供給路１６５，１６５に第２収容ケース８１の第１および第２上開口部８１ａ，８１ｂが整合した状態で配設される。そして、前記第２収容ケース８１の下側に露出する前記第２球排出路部９５における前記球排出路９６に、パチンコ式スロットマシン機１５０内にパチンコ球Ｒを取り込む球通出路１６６が連通すると共に、前記第１および第２球抜き路９７，９８に、前記下球皿１５６に連通する球抜出路１６７，１６７が連通している。ここで、前記第２収容ケース８１に収容された前記樋部材１２０は、前記第１樋部５５の球入口５５ａと第１球通入口９３（第１球導入路１３５ａ）とが連通すると共に、前記第２樋部５６の球出口５６ｂと前記球排出口９６ａとが連通する第１状態になっている。なお、前記第２閉塞部材１１６は、前記第１樋部５５の球出口５５ｂを閉塞する球排出規制位置に位置している。
【００８２】
この第１状態で、遊技者が前記上球皿１５４にパチンコ球Ｒを供給すると、該パチンコ球Ｒは前記球供給路１６５を通出し、前記第１球通入口９３（第１球導入路１３５ａ）を介して前記第１樋部５５に流入する（図２１参照）。このとき、第２球通入口９４（第１球導入路１３６ａ）は、前記第２通入規制板１２２により閉塞されて、該第２球通入口９４（第１球導入路１３６ａ）をパチンコ球Ｒが通出しないようになっている。なお、前記第１樋部５５に流入したパチンコ球Ｒは、該第１樋部５５の球出口５５ｂが前記第２閉塞部材１１６により規制されているので、前記第１球抜き口９７ａ（第１球抜き路９７）に通出することはない。ここで、前記第１樋部５５にパチンコ球Ｒが収容されると、前記第１センサ１４２の発光部７２ｂと前記第２センサ１４３の受光部７３ｂとの間の光が順次遮断され、全ての発光部７２ｂからの光が遮断されると、前記第１樋部５５に５個のパチンコ球Ｒが収容されたものと判断されて、パチンコ球Ｒの機内への取り込みが可能となる。
【００８３】
このとき、遊技者がパチンコ式スロットマシン機１５０に設けた前記球取込ボタン１６０を操作すると、前記第１ソレノイド４２により前記樋部材１２０が揺動されて、前記第２樋部５６の球入口５６ａと前記第２球通入口９４（第２球導入路１３６ａ）とが連通すると共に、前記第１樋部５５の球出口５５ｂと前記球排出口９６ａとが連通する第２状態に変位する。このとき、図２２に示すように、前記第１樋部５５に収容された５個のパチンコ球Ｒは、該第１樋部５５の球出口５５ｂから前記球排出口９６ａを介して球排出路９６に通出した後に、球排出路９６から前記球通出路１６６に通出して機内に取り込まれる。なお、前記球通出路１６６に通出するパチンコ球Ｒは、前記球排出路９６の途中に配設した前記通出球確認センサにより検出される。このように、パチンコ球Ｒを機内に取り込むに際し複数のセンサ（第１の収容球確認センサ部１４１および通出球確認センサ）でパチンコ球Ｒを検出することで、所定数以外のパチンコ球Ｒが取り込まれてゲームが開始されないようになっている。
【００８４】
また、前記第１樋部５５のパチンコ球Ｒを球通出路１６６に通出すると同時に、前記上球皿１５４に貯留されたパチンコ球Ｒが前記球供給路１６５を通出し、前記第２球通入口９４（第１球導入路１３６ａ）を介して第２樋部５６に流入する（図２２参照）。このとき、第１球通入口９３（第１球導入路１３５ａ）は、前記第１通入規制板１２１により閉塞されて、該第１球通入口９３（第１球導入路１３５ａ）をパチンコ球Ｒが通出することはない。この場合も前述と同様に、前記第２樋部５６に流入したパチンコ球Ｒの前記第２球抜き口９８ａ（第２球抜き路９８）への通出は、前記第１閉塞部材１１６により規制されている。ここで、前記第２樋部５６にパチンコ球Ｒが収容されると、前記第１センサ１４２の発光部７２ｂと前記第２センサ１４３の受光部７３ｂとの間の光が順次遮断されて全ての発光部７２ｂからの光が遮断されると、前記第２樋部５６に５個のパチンコ球Ｒが収容されたものと判断されて、パチンコ球Ｒの機内への取り込みが可能となる。
【００８５】
このとき、遊技者が前記球取込ボタン１６０を操作することにより、前記第１ソレノイド４２により前記樋部材１２０が揺動されて、前記第２樋部５６の球出口５６ｂと前記球排出口９６ａとが連通すると共に、前記第１樋部５５の球入口５５ａと前記第１球通入口９３とが連通する第１状態に再度変位される。そして、図２１に示すように、前記第２樋部５６に収容されている５個のパチンコ球Ｒは、該第２樋部５６の球出口５６ｂから前記球排出口９６ａを介して球排出路９６に通出した後に、該球排出路９６から前記球通出路１６６に通出して機内に取り込まれる。この場合も、前記球通出路１６６に通出するパチンコ球Ｒは、前記球排出路９６の途中に配設した前記通出球確認センサにより検出され、所定数以外のパチンコ球Ｒが取り込まれてゲームが開始されることはない。
【００８６】
以上説明したように、別実施例に係る第２球取込装置８０においても、前記樋部材１２０を第１状態または第２状態に揺動変位させると、パチンコ球Ｒを収容した一方の樋部５５，５６からパチンコ球Ｒが機内に取り込まれ、他方の樋部５６，５５に５個のパチンコ球Ｒが収容される。すなわち、一度の動作で機内へのパチンコ球Ｒの取り込みおよび樋部材１２０へのパチンコ球Ｒの収容を行ない得るので、複数回連続してパチンコ球Ｒを取り込む際にも迅速に行なうことが可能となる。このため、遊技者の球取込ボタン１６０の操作と球の取り込みとの間の時間差が少なくなり、快適に遊技を行ない得るようになる。また、前記樋部材１２０の揺動回数を減少させ得るので、前記第２球取込装置８０の耐久性を向上させ得る。更に、前記第２球処理機構部９０（第２球取込装置８０）は、前記樋部材１２０が第１状態と第２状態との間を揺動変位し得る大きさであればよいので、従来のリボルバー式の装置に較べて小型化が可能である。
【００８７】
（パチンコ球Ｒの球抜きについて）
次に、前記上球皿１５４に貯留されたパチンコ球Ｒの球抜きについて説明する。例えば、遊技を終了して前記上球皿１５４に貯留されたパチンコ球Ｒを球抜きする際に、遊技者がパチンコ式スロットマシン機１５０に設けた前記球抜き用ボタン１６３を操作すると、前記第２ソレノイド４３に通電されて前述の実施例と同様に、前記第２閉塞部材１１６は支軸１１７ａを中心に揺動される。そして、第１状態にあっては、前記第１排出規制板１１６ａが第１樋部５５の球出口５５ｂ（第１球抜き口９７ａ）を開放し、第２状態にあっては、前記第２排出規制板１１６ｂが第２樋部５６の球出口５６ｂ（第２球抜き口９８ａ）を開放する球通出許容位置に変位する。なお、前記第２閉塞部材１１６が球排出許容位置に変位した場合にも、第１状態においては前記第２樋部５６の球出口５６ｂと前記球排出口９６ａとが連通すると共に、第２状態においては前記第１樋部５５の球出口５５ｂと球排出口９６ａとが連通している。
【００８８】
従って、前記樋部材１２０が第１状態にある場合には、前記上球皿１５４から球供給路１６５に通出し、前記第１球通入口９３（第１導入路１３５ａ）を介して前記第１樋部５５に流入したパチンコ球Ｒは、前記第２閉塞部材１１６で規制されることなく該第１樋部５５の球出口５５ｂから第１球抜き口９７ａを介して前記第１球抜き路９７に通出する。そして、このパチンコ球Ｒは、前記第１球抜き路９７から前記球抜出路１６７に通出して前記下球皿１５６に抜き出される。また、前記樋部材１２０が第２状態にある場合にも同様に、前記上球皿１５４から球供給路１６５に通出し、前記第２球通入口９４（第２導入路１３６ａ）を介して前記第２樋部５６に流入したパチンコ球Ｒは、前記第２閉塞部材１１６で規制されることなく該第２樋部５６の球出口５６ｂから第２球抜き口９８ａを介して前記第２球抜き路９８に通出する。そして、このパチンコ球Ｒは、前記第２球抜き路９８から球抜出路１６７に通出して前記下球皿１５６に抜き出される。
【００８９】
このように、前記樋部材１２０が、第１状態または第２状態の何れの状態にある場合であっても、遊技者の球抜き用ボタン１６３の操作に応じて迅速に球抜きを行なうことができる。また、前記第１および第２球抜き口９７ａ，９８ａと前記球排出口９６ａとを別に設けるようにしたことで、第１樋部５５または第２樋部５６に収容したパチンコ球Ｒを、機内に取り込んでいる途中で前記球抜き用ボタン１６３の操作を行なったとしても、パチンコ球Ｒの機内への取り込みおよび下球皿１５６への球の抜き出しの何れも確実に行なうことができる。
【００９０】
【変更例】
なお、本発明に係る球処理装置の構成は、前述した各実施例のものに限られず、種々の変更が可能である。例えば、各実施例では球取込装置を上球皿の裏側に樋部材が上下に延在するよう配設したが、該樋部材が傾斜するよう配設してもよい。また、前記樋部材に形成する第１樋部および第２樋部を夫々１条の「樋」で構成したが、各樋部を複数条の「樋」で構成するようにしてもよい。更に、各樋部に収容し得る遊技球を５個に設定したが、所要に応じて樋部の長さを変更することで、任意数の遊技球を収容することができる。
【００９１】
また前記樋部材を揺動することで、該樋部材を第１状態と第２状態とに変位するよう構成したが、これに限らず、該樋部材を平行移動させて第１状態と第２状態とに変位するようにしてもよい。なお、前記樋部材を第１状態と第２状態とに切り替える切替手段は、実施例のようにソレノイドに限られるものではなく、モータ等の従来公知の各種手段を採用し得る。
【００９２】
各実施例では上球皿に貯留した遊技球を機内に取り込む球取込装置として、本発明に係る球処理装置を使用する場合を例にして説明したが、遊技中に発生した賞球を払出す賞球払出装置としても好適に採用し得る。また、球処理装置をパチンコ式スロットマシン機に配設するようにしたが、パチンコ機やアレンジボール機等に採用することもでき、パチンコ球を遊技媒体として遊技を行なう各種遊技機に配設することが可能である。
【００９３】
【発明の効果】
以上に説明したように、本発明に係る球処理装置によれば、ベース部材に移動可能に配設した樋部材を切替手段で第１状態に変位させると、第１樋部の球出口が第１球排出部に連通して該第１樋部に収容した遊技球を球通出部に通出すると共に、第２樋部の球入口が球通入部に連通して球供給路から所定数の遊技球が流入する。また、樋部材を切替手段で第２状態に変位させると、第２樋部の球出口が第２球排出部に連通して該第２樋部に収容した遊技球を球通出部に通出すると共に、第１樋部の球入口が球通入部に連通して球供給路から所定数の遊技球が流入する。このように、前記樋部材を第１状態および第２状態の何れの状態においても、球通出部への遊技球の通出を行ない得ると共に、球供給路から樋部材に遊技球が流入する。すなわち、前記樋部材を第１状態と第２状態とに切り替えることで、樋部材に収容した遊技球を球通出部に所定数単位で迅速に通出させ得る。また、樋部材は、第１状態および第２状態に移動させ得る大きさであればよいので、装置全体の小型化を図ることができる。
【００９４】
また、前記球通入部と連通する第１樋部または第２樋部の球出口を閉塞する排出規制板を、第２の切替手段により該球出口を開放する球排出許容位置に変位させると、当該球出口と球抜き部が連通して、球通入部を介して流入する遊技球が球抜き部を通出する。すなわち、前記樋部材が第１状態および第２状態の何れの状態にある場合でも、前記第２の切替手段で排出規制板を球排出許容位置に変位させることで、遊技球を球通出部に通出することなく排出（所謂球抜き）することが可能である。更に、第１および第２球排出部と球抜き部とを別に設けることで、前記樋部材を第１または第２状態に変位させたときに、前記排出規制板を球排出許容位置に変位して球抜き部から球抜きを行なうと共に、該第１または第２球排出部から球通出部に所定数の遊技球を通出することができる。そして、前記球通入部に連通している第１樋部または第２樋部に流入した遊技球を確認するようにすれば、同じセンサで両樋部に収容した遊技球の確認を行なうことが可能である。
【００９５】
本願の別の発明に係る球処理装置は、ベース部材に移動可能に配設した樋部材を切替手段で第１状態に変位させると、第２樋部の球出口が球排出部に連通して該第２樋部に収容した遊技球を球通出部に通出すると共に、第１樋部の第１球入口が第１球通入部に連通して球供給路から所定数の遊技球が流入する。また、樋部材を切替手段で第２状態に変位させると、第１樋部の球出口が球排出部に連通して該第１樋部に収容した遊技球を球通出部に通出すると共に、第２樋部の球入口が第２球通入部に連通して球供給路から所定数の遊技球が流入する。このように、前記樋部材を第１状態および第２状態の何れの状態においても、球通出部への遊技球の通出を行ない得ると共に、球供給路から樋部材に遊技球が流入する。すなわち、前記樋部材を第１状態と第２状態とに切り替えることで、樋部材に収容した遊技球を球通出部に所定数単位で迅速に通出させ得る。また、樋部材は、第１状態および第２状態に移動させ得る大きさであればよいので、装置全体の小型化を図ることができる。
【００９６】
また、前記第１球通入部と連通する第１樋部の第１球出口および前記第２球通入部と連通する第２樋部の第２球出口を閉塞する排出規制板を、第２の切替手段により該球出口を開放する球排出許容位置に変位させると、当該球出口と対応する第１および第２球抜き部が連通して、第１または第２球通入部を介して流入する遊技球がこの球抜き部を通出する。すなわち、前記樋部材が第１状態および第２状態の何れの状態にある場合でも、前記第２の切替手段で排出規制板を球排出許容位置に変位させることで、遊技球を球通出部に通出することなく排出（所謂球抜き）することが可能である。更に、球排出部と第１および第２球抜き部とを別に設けることで、前記樋部材を第１または第２状態に変位させたときに、前記第１または第２排出規制板を球排出許容位置に変位して対応する第１または第２球抜き部から球抜きを行なうと共に、該球排出部から球通出部に所定数の遊技球を通出することができる。
【図面の簡単な説明】
【図１】本発明の実施例に係る第１球取込装置を分解した状態で示す斜視図である。
【図２】実施例に係るパチンコ式スロットマシン機を概略で示す斜視図である。
【図３】実施例に係る第１球取込装置を示す斜視図である。
【図４】実施例に係る第１球取込装置を上球皿に配設した状態を示す正面図である。
【図５】実施例に係る第１球取込装置を、前ケース体を取外した状態で示す斜視図である。
【図６】実施例に係る第１ベース部材、樋部材、第１閉塞部材および第２ソレノイドを分解した状態で示す斜視図である。
【図７】実施例に係る第１ベース部材内に収容した樋部材が第１状態にあると共に、第１閉塞部材が排出規制位置にある場合を示す斜視図である。
【図８】実施例に係る第１ベース部材を示す正面図である。
【図９】実施例に係る第１ベース部材を一部破断した状態で、該第１ベース部材および第１センサを示す斜視図である。
【図１０】（ａ）は、実施例に係る樋部材を示す正面図であり、（ｂ）は（ａ）におけるＡ−Ａ線断面図である。
【図１１】実施例に係る第１カバー部材を示す正面図である。
【図１２】実施例に係る第１ベース部材、樋部材、第１カバー部材および第１の収容球確認センサ部を分解して状態で示す縦断側面図である。
【図１３】実施例に係る第１ベース部材内に収容した樋部材が第２状態にあると共に、第１閉塞部材が排出規制位置にある場合を示す斜視図である。
【図１４】実施例に係る第１ベース部材内に収容した樋部材が第２状態にあると共に、第１閉塞部材が排出許容位置にある場合を示す斜視図である。
【図１５】樋部材が第１状態にあると共に、第１閉塞部材が排出規制位置にある場合におけるパチンコ球の動きを概略で示す正面図である。
【図１６】樋部材が第２状態にあると共に、第１閉塞部材が排出規制位置にある場合におけるパチンコ球の動きを概略で示す正面図である。
【図１７】別実施例に係る第２球取込装置を上球皿に配設した状態を示す正面図である。
【図１８】別実施例に係る第２球取込装置を分解した状態で示す斜視図である。
【図１９】別実施例に係る第２球取込装置を、前ケース体を取外した状態で示す斜視図である。
【図２０】別実施例に係る第２ベース部材、樋部材、第２閉塞部材および第２ソレノイドを分解した状態で示す斜視図である。
【図２１】樋部材が第１状態にあると共に、第２閉塞部材が球排出規制位置にある場合におけるパチンコ球の動きを概略で示す正面図である。
【図２２】樋部材が第２状態にあると共に、第２閉塞部材が球排出規制位置にある場合におけるパチンコ球の動きを概略で示す正面図である。
【符号の説明】
１０　第１球取込装置（球処理装置）
２１　第１ベース部材（ベース部材）
２３　球通入口（球通入部）
２６　第１球排出路（第１球排出部）
２７　第２球排出路（第２球排出部）
２８　球抜き路（球抜き部）
４２　第１ソレノイド（切替手段）
４３　第２ソレノイド（第２の切替手段）
４６ａ　排出規制板
５１　樋部材
５５　第１樋部
５５ａ　球入口
５５ｂ　球出口
５６　第２樋部
５６ａ　球入口
５６ｂ　球出口
７１　第１の収容球確認センサ部（確認センサ）
８０　第２球取込装置（球処理装置）
９１　第２ベース部材（ベース部材）
９３　第１球通入口（第１球通入部）
９４　第２球通入口（第２球通入部）
９６　球排出路（球排出部）
９７　第１球抜き路（第１球抜き部）
９８　第２球抜き路（第２球抜き部）
１１６ａ　第１排出規制板
１１６ｂ　第２排出規制板
１２１　第１通入規制板
１２２　第２通入規制板
１４１　第２の収容球確認センサ部（確認センサ）
１６５　球供給路
１６６　球通出部
Ｒ　パチンコ球（遊技球）
【図１】
2004065319.tif 000003
【図２】
2004065319.tif 000004
【図３】
2004065319.tif 000005
【図４】
2004065319.tif 000006
【図５】
2004065319.tif 000007
【図６】
2004065319.tif 000008
【図７】
2004065319.tif 000009
【図８】
2004065319.tif 000010
【図９】
2004065319.tif 000011
【図１０】
2004065319.tif 000012
【図１１】
2004065319.tif 000013
【図１２】
2004065319.tif 000014
【図１３】
2004065319.tif 000015
【図１４】
2004065319.tif 000016
【図１５】
2004065319.tif 000017
【図１６】
2004065319.tif 000018
【図１７】
2004065319.tif 000019
【図１８】
2004065319.tif 000020
【図１９】
2004065319.tif 000021
【図２０】
2004065319.tif 000022
【図２１】
2004065319.tif 000023
【図２２】
2004065319.tif 000024